(57)【要約】 【構成】  編地のカラー画像を撮影し、明度のヒストグラムを作成する。同種の糸で同じ編成条件で編成した白地の編地の画像を同様に撮影し、明度に関するマスタヒストグラムを作成する。マスタヒストグラムに対して抽出範囲を決定し、対象編地の明度ヒストグラムでの対応範囲を決定する。対応範囲についてＲＧＢ値を平均し、編地のカラーデータとする。【効果】  編地表面の凹凸の影響などを受けずに、編地のカラーデータを測色できる。【選択図】     図３
2006184115.tif 000002
【特許請求の範囲】
【請求項１】
対象編地の測色データに対する明度のヒストグラムを作成するための手段と、
対象編地と同種の編地の測色データに関する明度のマスタヒストグラムに対して、抽出範囲を決定するための手段と、
前記マスタヒストグラムでの抽出範囲を、対象編地のヒストグラムの対応範囲に変換するための手段と、
前記対応範囲内のピクセルのカラーデータを抽出することにより、対象編地のカラーデータまたは対象編地を構成する糸のカラーデータを求めるための手段とを備えた、編地の測色装置。
【請求項２】
前記マスタヒストグラムが、同種の素材でかつ白色の糸を用いて、同等の編成条件で編成された編地の明度に関するヒストグラムであることを特徴とする、請求項１の編地の測色装置。
【請求項３】
前記対象編地のヒストグラムでの対応範囲の明度を、前記マスタヒストグラムでの抽出範囲の明度を基準に正規化するための正規化手段を設けたことを特徴とする、請求項１または２の編地の測色装置。
【請求項４】
対象編地が無着色の部分を残してカラーチャートをプリントされた編地で、
前記無着色の部分のカラー画像からマスタヒストグラムを作成するための手段を設けると共に、
前記明度のヒストグラムの作成手段で、カラーチャートの各部から複数の明度のヒストグラムを作成するようにし、
かつ前記正規化手段により、カラーチャート各部の正規化された明度を求めるようにしたことを特徴とする、請求項３の編地の測色装置。
【請求項５】
前記抽出範囲を複数設けると共に、前記対応範囲を抽出範囲に対応して複数設けて、各対応範囲のピクセルから抽出した複数のカラーデータを編地を構成する糸のカラーデータとするようにしたことを特徴とする、請求項１〜３のいずれかの編地の測色装置。
【請求項６】
対象編地の測色データに対する明度のヒストグラムを作成するための命令と、
対象編地と同種の編地の測色データに関する明度のマスタヒストグラムに対して、抽出範囲を決定するための命令と、
前記マスタヒストグラムでの抽出範囲を、対象編地のヒストグラムの対応範囲に変換するための命令と、
前記対応範囲内のピクセルのカラーデータを抽出することにより、対象編地のカラーデータまたは対象編地を構成する糸のカラーデータを求めるための命令とを備えた、編地の測色プログラム。
【請求項７】
前記対象編地のヒストグラムでの対応範囲の明度を、前記マスタヒストグラムでの抽出範囲の明度を基準に正規化するための正規化命令を設けたことを特徴とする、請求項６編地の測色プログラム。
【請求項８】
対象編地のカラー画像を撮影して、明度のヒストグラムを作成すると共に、対象編地と同種の編地のカラー画像を撮影して、明度のマスタヒストグラムを作成し、
前記マスタヒストグラムから明度データを抽出する範囲を決定すると共に、前記マスタヒストグラムでの抽出範囲を、対象編地のヒストグラムからカラーデータを抽出する対応範囲に変換し、
前記対応範囲内のピクセルのカラーデータを抽出することにより、対象編地のカラーデータまたは対象編地を構成する糸のカラーデータを求めるようにした、編地の測色方法。
【発明の詳細な説明】
【技術分野】
【０００１】
この発明は、編地を測色して編地や編地を構成する糸のカラーデータを求めることに関する。
【背景技術】
【０００２】
特許文献１は、ＸＹ動作するヘッドに測色装置を取り付け、シートの色を測色することを開示している。ところで従来の測色では、図８に示すように、例えば対象の直上から照明して、４５度の角度の反射光を受光するようにしている。これ以外に、４５度の角度で照明して直角に受光することも考えられる。
【０００３】
編地には凹凸があるため、光源に対して例えば４５度の角度で受光しても、鏡面光が混ざってしまう。例えば図９の左側の例は、ループの中で糸が上下して曲げられるために、４５度の方向にも鏡面光が生じることを示している。図９の右側の例は、糸自体の断面が円形ないしは楕円形であるために、４５度の方向にも鏡面光が生じることを示している。またこれ以外に、ループでの位置に従って、糸が上下するので、上側の位置にある糸の部分からは一般に明るい画像が得られ、下側の位置にある糸の部分からは一般に暗い画像が得られる。このように、鏡面光の問題や、ループ内での位置に従って糸が上下して明暗が生じることなどにより、編地の測色は難しい。例えば単純に編地から得られたカラーデータを平均して編地の色とすると、視覚で感じられる色とは異なる色を編地の色とすることになりやすい。
【特許文献１】特開平８−３２７４５５
【発明の開示】
【発明が解決しようとする課題】
【０００４】
この発明は、編地や編地を構成する糸を測色し、使用目的に応じたカラーデータを得るための、測色装置や測色プログラム、測色方法を提供することを課題とする。
【課題を解決するための手段】
【０００５】
この発明の編地の測色装置は、対象編地の測色データに対する明度のヒストグラムを作成するための手段と、対象編地と同種の編地の測色データに関する明度のマスタヒストグラムに対して、抽出範囲を決定するための手段と、前記マスタヒストグラムでの抽出範囲を、対象編地のヒストグラムの対応範囲に変換するための手段と、対応範囲内のピクセルのカラーデータを抽出することにより、対象編地のカラーデータまたは対象編地を構成する糸のカラーデータを求めるための手段とを設けたものである。
【０００６】
好ましくは、前記マスタヒストグラムが、同種の素材でかつ白色の糸を用いて、同等の編成条件で編成された編地の明度に関するヒストグラムである。
【０００７】
また好ましくは、前記対象編地のヒストグラムでの対応範囲の明度を、前記マスタヒストグラムでの抽出範囲の明度を基準に正規化するための正規化手段を設ける。
【０００８】
特に好ましくは、対象編地が無着色の部分を残してカラーチャートをプリントされた編地で、前記無着色の部分のカラー画像からマスタヒストグラムを作成するための手段を設けると共に、前記明度のヒストグラムの作成手段で、カラーチャートの各部から複数の明度のヒストグラムを作成するようにし、かつ前記正規化手段により、カラーチャート各部の正規化された明度を求める。
【０００９】
好ましくは、前記抽出範囲を複数設けると共に、前記対応範囲を抽出範囲に対応して複数設けて、各対応範囲のピクセルから抽出した複数のカラーデータを編地を構成する糸のカラーデータとする。
【００１０】
この発明の測色プログラムは、対象編地の測色データに対する明度のヒストグラムを作成するための命令と、対象編地と同種の編地の測色データに関する明度のマスタヒストグラムに対して、抽出範囲を決定するための命令と、前記マスタヒストグラムでの抽出範囲を、対象編地のヒストグラムの対応範囲に変換するための命令と、対応範囲内のピクセルのカラーデータを抽出することにより、対象編地のカラーデータまたは対象編地を構成する糸のカラーデータを求めるための命令とを備えたものである。
好ましくは、前記対象編地のヒストグラムでの対応範囲の明度を、前記マスタヒストグラムでの抽出範囲の明度を基準に正規化するための正規化命令を設ける。
【００１１】
この発明の編地の測色方法では、対象編地のカラー画像を撮影して、明度のヒストグラムを作成すると共に、対象編地と同種の編地のカラー画像を撮影して、明度のマスタヒストグラムを作成し、前記マスタヒストグラムから明度データを抽出する範囲を決定すると共に、前記マスタヒストグラムでの抽出範囲を、対象編地のヒストグラムからカラーデータを抽出する対応範囲に変換し、前記対応範囲内のピクセルのカラーデータを抽出することにより、対象編地のカラーデータまたは対象編地を構成する糸のカラーデータを求める。
【００１２】
なお対象編地とマスタヒストグラム作成用の基準編地を例えば１枚の編地として、無着色の部分をマスタヒストグラムの作成に用いても良い。このようにすると、マスタヒストグラムと対象編地の明度のヒストグラムとを同時に作成できる。なお基準編地は白地の編地が好ましく、無染色の編地の他に、例えば漂白などを施したものや白のプリントを施したものなどでも良い。またマスタヒストグラムを例えば糸の素材や編成条件などに応じて複数種記憶して用いても良い。
なお対応範囲内のピクセルのカラーデータを抽出するとは、対応範囲に含まれる画素からＲＧＢなどのカラーデータを求めることをいう。抽出された明度やその他のカラーデータの処理は、例えば分布平均により処理する。
【発明の効果】
【００１３】
マスタヒストグラムでの明度の分布により、例えば鏡面光などにより明るくなっている部分の明度や、編地の下側の部分などの暗い部分などの明度を知ることができる。そして分布の形状から、どの部分を抽出して基準となる編地の明度とすればよいかが分かる。そこでこの部分を抽出範囲とする。なお糸のカラーデータを求める場合などで、糸や編地を代表する１つのカラーデータのみでなく、複数のカラーデータが必要な場合がある。このような場合、抽出範囲を複数設けると良い。
【００１４】
対象編地のヒストグラムは、編目の形状がマスタヒストグラムを作成した編地と同様なので、マスタヒストグラムに基本的には相似である。そこでマスタヒストグラムでの抽出範囲に対応して対応範囲を定め、ＲＧＢなどのカラーデータや明度などを抽出する。これによって、対象編地のカラーデータや明度などを求めることができる。編地には凹凸などがあり測色が難しいが、この発明では編地やそれを構成する糸のカラーデータを得ることができる。また抽出範囲を変えることにより、対象編地の使途に応じたカラーデータを得ることができる。
【００１５】
ここで、マスタヒストグラムでの抽出範囲の明度を基準明度として、対象編地のヒストグラムでの対応範囲の明度を基準明度で正規化する。例えば基準明度の測定値が０.９であれば、対応範囲の明度を０.９の逆数の１.１１倍する。ここで、マスタヒストグラムの作成に用いた編地と対象編地が同じ編地で、撮影個所が異なるような場合、測色ヘッドなどのばらつきの影響をキャンセルできる。同じ編地ではないにせよ、マスタヒストグラムと対象編地のヒストグラムとをその都度ほぼ同時に作成すると、測色ヘッドのばらつきの影響などを比較的小さくできる。
【００１６】
カラーデータとして例えば明度、彩度、色相の３成分を考えると、正確なデータを最も得にくいのは明度である。彩度のヒストグラムは明度のヒストグラムよりも狭く、このことは彩度を明度よりも簡単に測定できることを意味し、色相のヒストグラムは最も狭く、色相の測定は最も容易である。なおこのことは、この発明で扱うカラーデータとして、ＲＧＢやＣＭＹＫなどを排除するものではない。
【００１７】
編地用のプリンタの校正などのために、編地にカラーチャートをプリントして測色する必要がある。このような場合、対象編地に無着色の部分を残して、マスタヒストグラム用のエリアとし、他の部分にカラーチャートをプリントし、対象編地のヒストグラムを作成する。この場合、各部分はほぼ同時に例えば同じ測色ヘッドで測定できるので、撮影時のばらつきが少なくなる。またマスタヒストグラムの抽出範囲の明度を白の物体色に対する基準の明度とし、対象編地のヒストグラムでの対応範囲から求めた明度を、基準の明度で正規化する。するとプリントによる明度の比を正確に求めることができ、カラーチャート各部の明度を色空間内での連続性を保って求めることができる。このためプリンタを正確に校正できる。
【発明を実施するための最良の形態】
【００１８】
以下に本発明を実施するための最適実施例を示す。
【実施例】
【００１９】
図１〜図７に、実施例を示す。図１に測色ヘッド２の例を示すと、４はカバーで、周囲からの光を遮断し、６，６は例えば左右一対あるいは環状などの光源で、ハロゲンランプなどを用い、８はデジタルカメラである。１０はそのレンズで、光源６，６の間に取り付け、１２は青色フィルタで、可視光中の赤色の部分の透過率を抑えて、３８０nm〜７８０nm程度の範囲について、例えば標準光源のＤ６５（色温度６５００度相当の白色光）と同等のスペクトルを作り出すためのフィルタである。また青色フィルタ１２は紫外部や赤外部の光をカットする。さらに青色フィルタ１２はレンズ１０の入力側ではなく、光源６の出口側などに設けても良い。１４は測色対象の編地で、１６はテーブルで、測色ヘッド２は例えばテーブル１６に対してＸＹ方向に移動できる。
【００２０】
図２に、測色装置２０とその周囲の構成とを示す。測色ヘッド２はインクジェットなどのカラーのプリントヘッド１８と例えば一体に取り付けられ、図示しない駆動機構により、前記のテーブル１６に対してＸＹ移動できるようにしてある。１９はカメラプロファイル補正部で、測色ヘッド２のデジタルカメラ８からのＲＧＢデータに対して、カメラのキャリブレーションデータに従って補正を行い、設けなくても良い。そしてカメラプロファイルの補正後のＲＧＢデータを、測色装置２０へ入力する。
【００２１】
２２はＲＧＢ／ＸＹＺ変換部で、ＲＧＢデータをＣＩＥのＸＹＺデータや、ＨＬＳデータあるいはＬabデータなどのように、明度の成分と他の成分とからなるカラーデータに変換する。用いるＲＧＢデータはＣＩＥ準拠のデータで、ＸＹＺデータなどに変換可能である。２４は画像処理部で、カラーチャートの処理、プリンタの校正データの作成などを行う。画像処理部２４は、カラーチャートの境界の画像認識などを行う。画像メモリ２８は、例えばＲＧＢデータとして、測色個所の編地の画像データを記憶する。２６はマニュアル入力で、編地中で測色する場所などを入力する。１個所の測色には例えば５×５ループ程度のサイズが有ればよい。
【００２２】
マスタヒストグラム処理部は、例えばマスタヒストグラムを作成し、あるいはマスタヒストグラムを記憶すると共に、これに関連した処理を行う。マスタヒストグラムは、対象編地と同種の編地で、無染色の白編地から作成した明度のヒストグラムで、漂白の有無は自在である。マスタヒストグラム処理部３０は抽出範囲を決定するためのルールを記憶している。ルールの例を説明する。
【００２３】
ヒストグラムの中央にピークのある単純なガウス分布の場合、ヒストグラムのピークから、標準偏差に所定の係数を掛けた範囲を抽出範囲とする。これはピークを抽出範囲とすることとほぼ同じである。また明度が高い側にピークがあり、それよりも明度が低い側に、明度がほぼ一定の領域があるような場合がある。この場合、明度のピーク付近の所定の範囲を抽出対象範囲とする。これらのルールは、染色の影響を受けていないがカメラでの撮影条件などの影響を受けて変化する明度のヒストグラムに対して、どの部分を白色編地の明度として抽出するかのルールである。そしてこのルールはヒストグラムの形状に基づいて抽出範囲を定め、かつ経験的に定まるルールである。このルールでは例えばヒストグラムのピークの位置、分布がほぼ一定な領域、メディアンなどに着目する。
【００２４】
どの範囲を抽出範囲とするかは、カラーデータを求めた後の処理にも依存する。例えば糸のカラーデータを求めて、これを編地のシミュレーション画像の作成に用いたいとする。そしてシミュレーションにはハイライト（糸の明度を周囲より際だって高くする部分）があるものとする。ハイライトを表現するためには、それ以外の糸の色を暗くしておく必要がある。そこでこのような場合、マスタヒストグラムからの明度の抽出範囲を、他の場合よりも暗くしておくことが好ましい。例えば、ヒストグラムの特徴を表す値として、標準偏差や尖り度などを用い、抽出範囲をこれらに応じて暗い側にシフトさせると良い。またはハイライトの部分を糸の物体色と見なして、他の部分をこれより暗くする場合、ヒストグラム中の明るい側の部分を抽出範囲や対象範囲とするのが好ましい。
【００２５】
３２は対象編地の明度ヒストグラム処理部で、対象編地のＲＧＢデータをカメラプロファイル補正部１９で補正し、ＲＧＢ／ＸＹＺ変換部２２でＸＹＺデータに変換し、明度に対応するＹの値のヒストグラムを作成する。そしてマスタヒストグラムに対して抽出範囲が定まると、これに対応する範囲を対象編地の明度ヒストグラムでの対応範囲とする。例えばマスタヒストグラムに対して明るい側を上位暗い側を下位として、上位５％〜３０％を抽出範囲と定めると、これに対応して対象編地の明度ヒストグラムの上位５％〜３０％を対応範囲とする。あるいはマスタヒストグラムの最初のピークの半値幅の部分を抽出範囲とすると、対象編地のヒストグラムの最初のピークの半値幅の部分を対応範囲とする。そして対応範囲内の明度のＲＧＢデータを画像メモリ２８から読み出し、統計化部３４で例えば平均し、あるいはその他の統計処理を施して、編地や糸のカラーデータを表すＲＧＢデータを求める。
【００２６】
測色ヘッド２やカメラプロファイル補正部１９は、測色装置２０の一部と見なしても良いが、測色装置２０とは別のものと見なしても良い。測色ヘッド２には、デジタルカメラ８以外に、スキャナなどを用いても良い。しかしデジタルカメラ８は一般に安価で、しかもカメラプロファイルが元々ある程度補正されているものが多い。
【００２７】
マスタヒストグラム処理部３０には好ましくは対象編地を測色する都度、基準となる白色の編地の測色データを入力してヒストグラムを作成する。しかし同種の糸で無染色のものを用い同種の編成条件で編成した編地に対して、カラーデータを求めて明度のヒストグラムを作成し、これを記憶しても良い。この場合、好ましくは、糸の種類や編成条件などに応じて、複数のマスタヒストグラムを記憶し、最も近いものを読み出す。
【００２８】
実施例で明度を彩度や色相よりも問題にするのは、鏡面光や糸の上部と側面、あるいはループの上になる部分と下になる部分などでのカラーデータの相違が、明暗に対して特に強く表れるためである。明度の次にテクスチャーの影響を受けやすいのは彩度で、最も影響が少ないのが色相である。彩度や色相に対してマスタヒストグラムを作るのは困難なので、対象編地に対して彩度や色相のヒストグラムを作成し、マスタヒストグラムの上位何％〜何％の範囲を抽出範囲とすると定めた場合、この範囲を例えば抽出すると良い。
【００２９】
図３に、マスタヒストグラムと対象編地のヒストグラムの例を示す。これらのヒストグラムの最も明るい部分は、光源光の鏡面反射を受光した部分で、暗い部分は例えば編地の下側から複雑に反射されながら受光された光である。ヒストグラムの形状は様々であるが、図３の例では編地の表面付近にあって光源光を強く反射する部分がピークを形成し、それよりも暗い部分に滑らかな肩の部分が存在する。肩の部分は、編地のやや下側の部分などに対応する。そしてマスタヒストグラムと対象編地のヒストグラムは、ヒストグラムの幅が異なるなどの相違はあるものの、全体としてはほぼ相似な形状である。
【００３０】
ヒストグラムの形状に従って抽出範囲を決定する。例えば、ピークの位置や、その暗部側の肩の幅、あるいは明るい部分と暗い部分に２つのピークがある、もしくは単純なガウス型の分布でピークが１つしかないなどの特徴により、ヒストグラムのどの部分のデータを抽出するかを決定する。このルールは一種の経験則で、マスタヒストグラム処理部３０などに記憶させる。マスタヒストグラムに対し抽出範囲を定めることは、編地の特定の位置、言い換えると編目の特定の位置のデータを、編地全体や糸を代表するデータを与える場所として選択することになる。図３の場合、例えばプリンタの校正を目的とする場合であれば、明るい側のピークとその周辺で、ピークの暗い側に対して明るい側を大きく取った範囲を抽出範囲とする。次にこれをヒストグラムの上位何％〜何％などのように数値化し、あるいはピークからの明度の変化が何％以内、などのように数値化する。
【００３１】
数値化した抽出範囲により、対象編地のヒストグラムからの対応範囲を決定する。対応範囲内の明度を例えば分布平均して対象編地の明度とする。好ましくは、マスタヒストグラムに対しても抽出範囲での明度の分布平均を求めて基準の明度とする。これらの明度の比Δ（対応範囲の明度／抽出範囲の明度）は、マスタヒストグラムに用いた基準編地を白の物体色として、明度を正規化した際の、対象編地の明度を与える。
【００３２】
対象編地のヒストグラムで、明度の対応範囲とした部分について、ＲＧＢ値を例えば分布平均する。そして白色からの前記の明度比Δが保たれるように、求めたＲＧＢ値の平均値を補正する。言い換えると、対象編地や糸のカラーデータは、マスタヒストグラムに用いた編地の明度よりも明度比Δだけ暗い色となり、色相や彩度はマスタヒストグラムとはほぼ無関係に定まる。
【００３３】
図４に、測色プログラム３８を示す。マスタヒストグラム作成命令４０では、白色の基準編地について、明度分布のマスタヒストグラムを作成する。対象編地の明度ヒストグラム作成命令４２では、対象編地の明度ヒストグラムを作成する。抽出範囲決定命令４６ではマスタヒストグラムの形状に基づき、また求めたカラーデータの用途に基づき、マスタヒストグラムで明度を抽出する範囲を決定する。対応範囲決定命令４８では、マスタヒストグラムでの抽出範囲に対応する、対象編地のヒストグラムでの抽出範囲を決定する。統計化命令４４では対応範囲内のＲＧＢ値を例えば平均化などにより統計化し、かつマスタヒストグラムの抽出範囲の物体色が白となるものとして、対応範囲の明度を抽出範囲の明度で正規化し、対象範囲内のＲＧＢ値を統計化する。画像処理命令５０では、カラーチャートの処理やプリンタの校正データなどを作成する。
【００３４】
このように実施例では、対応範囲内のピクセルのＲＧＢ値を統計化したものを編地や糸のカラーデータとする。
【００３５】
図５に、実施例での編地のカラーデータの取得アルゴリズムを示す。キャリブレーション済みのカメラをセットし、同じ素材の糸で同じ編成条件で編成した白色編地をカメラで撮影する。この時の画像を元にマスタヒストグラムを作成する。キャリブレーション済みのカメラでも、編地を撮影する場合、照明条件やその他の要素により、得られるマスタヒストグラムの形状が異なることがある。ここで対象編地と基準編地が物理的には１枚の編地で、着色の有無のみが相違する場合、このような問題は生じない。
【００３６】
同じカメラで基準編地と対象編地とを撮影し、マスタヒストグラムと対象編地の明度のヒストグラムとを作成する。次にマスタヒストグラムの形状に基づき、抽出範囲を決定する。この抽出範囲に対応する対象編地の明度ヒストグラムでの、対応範囲を決定する。対応範囲について、対象編地のピクセルのＲＧＢ値を例えば平均し、前記の明度比Δに応じて、求めたＲＧＢ値を補正する。
【００３７】
図６に、対象編地６０上のカラーチャート６２の例を示す。６４はマスタヒストグラム作成用の白色部で、プリントヘッド１８により既知のプリントデータにより、カラーチャート６２をプリントする。グリッド６５，６６はカラーチャート６２での色の境界を示し、デジタルカメラ８で撮影し、画像処理部２４で画像認識して、カラーチャート６２内の所定の位置を順次スキャンするように、測色ヘッド２で撮影する。次いでマスタヒストグラムとカラーチャートの各部（各カラーデータ）に対応する明度のヒストグラムを求め、マスタヒストグラムの形状から抽出範囲を決定し、これに応じて各ヒストグラムに対する対応範囲を決定する。そしてマスタヒストグラムとの明度比Δに応じて、各ヒストグラムから明度を決定し、またカラーチャートの各部のＲＧＢデータを求める。得られたＲＧＢデータとプリントデータとの相違から、プリントヘッド１８を校正できる。
【００３８】
図７は、マスタヒストグラム７２や対象編地のヒストグラム７４から、複数の抽出範囲７５，７６と複数の対応範囲７７，７８を求める例を示す。糸のカラーデータを１つの値と見なさず、分布と見なしたい場合、複数の抽出範囲７５，７６や複数の対応範囲７７，７８を設けると良い。そしてこれらの位置は、図７では例えば明るい側のピークとやや暗い側の肩状部分の中心などとしている。
【００３９】
実施例ではデジタルカメラ８を用いたが、編地を標準光で一様に照明して撮影できるものであれば、デジタルカメラ以外の撮影手段も用い得る。例えば演色性の低い白色蛍光灯ではなく標準光源を搭載し、かつ線光源ではなく編地を面状に照明できれば、スキャナも用い得る。
【図面の簡単な説明】
【００４０】
【図１】実施例で用いた測色ヘッドの断面図
【図２】実施例の測色装置のブロック図
【図３】実施例でのマスタヒストグラムと対象編地のヒストグラムとの関係を示す図
【図４】実施例の測色プログラムのブロック図
【図５】実施例の測色方法を示すフローチャート
【図６】実施例で用いたカラーチャートを示す図
【図７】糸のカラーデータを求める際の抽出範囲や対応範囲の変形例を示す図
【図８】従来例での測色モデルを示す図
【図９】従来例を編地の測色に用いた際の問題点を示す図
【符号の説明】
【００４１】
２  測色ヘッド
４  カバー
６  光源
８  デジタルカメラ
１０  レンズ
１２  青色フィルタ
１４  編地
１６  テーブル
１８  プリントヘッド
２０  測色装置
２２  ＲＧＢ／ＸＹＺ変換部
２４  画像処理部
２６  マニュアル入力
２８  画像メモリ
３０  マスタヒストグラム処理部
３２  対象編地の明度ヒストグラム処理部
３４  統計化部
３８  測色プログラム
４０  マスタヒストグラム作成命令
４２  対象編地の明度ヒストグラム作成命令
４４  統計化命令
４６  抽出範囲決定命令
４８  対応範囲決定命令
５０  画像処理命令
６０  対象編地
６２  カラーチャート
６４  白色部
６５，６６ グリッド
７２  マスタヒストグラム
７４  対象編地の明度ヒストグラム
７５，７６ 抽出範囲
７７，７８ 対応範囲
Δ  明度比
【図１】
2006184115.tif 000003
【図２】
2006184115.tif 000004
【図３】
2006184115.tif 000005
【図４】
2006184115.tif 000006
【図５】
2006184115.tif 000007
【図６】
2006184115.tif 000008
【図７】
2006184115.tif 000009
【図８】
2006184115.tif 000010
【図９】
2006184115.tif 000011